(57)【要約】      （修正有）【課題】水槽内の水生生物を所定の方向へ誘導することが可能な技術を提供する。【解決手段】水槽の外周壁部の内周面に近接して設置される水生生物誘導装置１００であって、前記水槽内の水生生物を誘導するための電力が印加される電極１０４と、前記電極を収容するケース１０２とを備え、前記ケースは、第１の面１０２Ａと、前記第１の面とは反対側の第２の面１０２Ｂとを有し、前記第１の面は、前記電極を露出させる開口部１０３と、前記電極への外部からの接触を防ぐ防護部１０５ａ、１０５ｂとを有し、前記第２の面は、前記内周面と対向し、且つ、絶縁素材によって覆われている。【選択図】図１
2019041742.tif 000002
【特許請求の範囲】
【請求項１】
水槽の外周壁部の内周面に近接して設置される水生生物誘導装置であって、
前記水槽内の水生生物を誘導するための電力が印加される電極と、
前記電極を収容するケースと
を備え、
前記ケースは、
第１の面と、
前記第１の面とは反対側の第２の面と
を有し、
前記第１の面は、
前記電極を露出させる開口部と、前記電極への外部からの接触を防ぐ防護部とを有し、
前記第２の面は、
前記内周面と対向し、且つ、絶縁素材によって覆われている
ことを特徴とする水生生物誘導装置。
【請求項２】
前記ケースを前記内周面に取り付ける取付手段
をさらに備えることを特徴とする請求項１に記載の水生生物誘導装置。
【請求項３】
請求項１または２に記載の水生生物誘導装置を複数備え、
前記複数の水生生物誘導装置が前記内周面に沿って設置される
ことを特徴とする水生生物誘導システム。
【請求項４】
前記複数の水生生物誘導装置が連結部によって連結されている
ことを特徴とする請求項３に記載の水生生物誘導システム。
【請求項５】
前記複数の水生生物誘導装置は、前記連結部において折曲可能である
ことを特徴とする請求項４に記載の水生生物誘導システム。
【請求項６】
前記水槽内の一部の領域の周囲に配置された、複数の前記水生生物誘導装置の各々の前記電極に対して電力を印加することにより、前記水槽内の一部の領域に、前記水生生物を当該領域の外部へ誘導するための電界を形成する制御手段
をさらに備えることを特徴とする請求項３から５のいずれか一項に記載の水生生物誘導システム。
【請求項７】
前記制御手段は、
互いに対向して配置された２つの前記水生生物誘導装置に対し、一方の前記水生生物誘導装置と、他方の前記水生生物誘導装置とで、互いに電圧の極性が異なる電力を印加する
ことを特徴とする請求項６に記載の水生生物誘導システム。
【請求項８】
前記制御手段は、
複数の前記水生生物誘導装置の各々の前記電極に対して、前記水生生物の種類に応じた電力設定値に基づく電力を印加する
ことを特徴とする請求項６または７に記載の水生生物誘導システム。
【請求項９】
前記水生生物の種類に応じた電力設定値は、前記水生生物が死滅および損傷するに至らない電圧値を含む
ことを特徴とする請求項８に記載の水生生物誘導システム。
【請求項１０】
前記制御手段によって複数の前記水生生物誘導装置の各々の前記電極に印加される電力のオンおよびオフを切り替える手動スイッチ
をさらに備えることを特徴とする請求項６から９のいずれか一項に記載の水生生物誘導システム。
【請求項１１】
請求項１に記載の水生生物誘導装置を複数備え、
前記複数の水生生物誘導装置が、前記外周壁部に一体的に形成されている
ことを特徴とする水槽。
【発明の詳細な説明】
【技術分野】
【０００１】
本発明は、水生生物誘導装置、水生生物誘導システム、および水槽に関する。
【背景技術】
【０００２】
従来、魚等の水生生物を飼育したり養殖したりするための容器として、各種水槽が利用されている。例えば、下記特許文献１には、魚を養殖するための養殖水槽内に、水質センサを取り付けた移動体を設けることにより、水槽内の状態を計測し、その計測データを無線通信によってデータ記録装置に送信できるようにした技術が開示されている。
【先行技術文献】
【特許文献】
【０００３】
【特許文献１】特開２０１６−１２９５１４号公報
【発明の概要】
【発明が解決しようとする課題】
【０００４】
ところで、本発明の発明者は、水槽内において、水生生物が一部の領域に滞留してしまわないように、水生生物を所定の方向へ誘導する技術の必要性を見出している。例えば、魚の養殖用の水槽において、魚が一部の領域に滞留してしまうと、その領域の外部で魚を捕獲することが困難になってしまう。しかしながら、従来、水槽内の水生生物を所定の方向へ誘導することが可能な技術が存在しなかった。
【０００５】
本発明は、上述した従来技術の課題を解決するため、水槽内の水生生物を所定の方向へ誘導することが可能な技術を提供することを目的とする。
【課題を解決するための手段】
【０００６】
上述した課題を解決するために、本発明の水生生物誘導装置は、水槽の外周壁部の内周面に近接して設置される水生生物誘導装置であって、前記水槽内の水生生物を誘導するための電力が印加される電極と、前記電極を収容するケースとを備え、前記ケースは、前記内周面と対向する第１の面と、前記第１の面とは反対側の第２の面とを有し、前記第１の面は、絶縁体によって覆われており、前記第２の面は、前記電極を露出させる開口部と、前記電極への外部からの接触を防ぐ防護部を有する。
【発明の効果】
【０００７】
本発明によれば、水槽内の水生生物を所定の方向へ誘導することが可能な技術を提供することができる。
【図面の簡単な説明】
【０００８】
【図１】本発明の一実施形態に係る水生生物誘導装置の外観斜視図である。
【図２】図１（ａ）に示す水生生物誘導装置のＡ−Ａ断面図である。
【図３】本発明の第１実施形態に係る水生生物誘導システムの構成を示す図である。
【図４】本発明の第１実施形態に係る水生生物誘導装置の設置例を示す図である。
【図５】本発明の第１実施形態に係る水生生物誘導装置による誘導方法の一例を示す図である。
【図６】本発明の第１実施形態に係る水生生物誘導装置の変形例を示す図である。
【図７】図６（ａ）に示す水生生物誘導装置のＤ−Ｄ断面図である。
【図８】本発明の第２実施形態に係る水生生物誘導ユニットの構成を示す図である。
【図９】本発明の第２実施形態に係る水生生物誘導システムの構成を示す図である。
【図１０】本発明の第２実施形態に係る水生生物誘導ユニットによる誘導方法の一例を示す図である。
【発明を実施するための形態】
【０００９】
〔第１実施形態〕
以下、図１〜図７を参照して、本発明の第１実施形態について説明する。
【００１０】
（水生生物誘導装置１００の概略構成）
初めに、図１を参照して、水生生物誘導装置１００の概略構成について説明する。図１は、本発明の第１実施形態に係る水生生物誘導装置１００の外観斜視図である。図１（ａ）は、水生生物誘導装置１００の前側（第１の面１０２Ａ側）の外観斜視図である。図１（ｂ）は、水生生物誘導装置１００の後ろ側（第２の面１０２Ｂ側）の外観斜視図である。図２は、図１（ａ）に示す水生生物誘導装置１００のＡ−Ａ断面図である。
【００１１】
図１および図２に示す水生生物誘導装置１００は、水生生物が収容される任意の水槽２０内に設置することが可能な装置である。水生生物誘導装置１００は、水槽２０内の一部の領域に電界を形成することにより、水槽２０内に収容されている水生生物３０を、水槽２０内の他の領域へ誘導することが可能な装置である。なお、図１および図２では、水生生物誘導装置１００が設置される水槽２０の底面に対して平行な方向を、Ｘ軸方向およびＹ軸方向とし、水生生物誘導装置１００が設置される水槽２０の底面に対して垂直な方向を、Ｚ軸方向としている。
【００１２】
図１および図２に示すように、水生生物誘導装置１００は、ケース１０２および電極１０４を備えている。
【００１３】
ケース１０２は、水生生物誘導装置１００の外形をなす、容器状の部材である。ケース１０２は、電極１０４が収容される。ケース１０２としては、例えば、樹脂等の絶縁素材を用いることができる。本実施形態では、ケース１０２は、比較的薄型の直方体形状をなしている。すなわち、ケース１０２は、前方から平面視したときに矩形状をなしているが、これに限らない。例えば、ケース１０２は、前方から平面視したときに円形状、その他の多角形状等をなすものであってもよい。また、図２に示すように、ケース１０２は、中空構造を有しているが、これに限らず、中空構造を有さないものであってもよい。
【００１４】
図１（ａ）に示すように、ケース１０２は、その前側に第１の面１０２Ａを有している。また、図１（ｂ）に示すように、ケース１０２は、その後ろ側に第２の面１０２Ｂを有している。
【００１５】
第１の面１０２Ａは、水槽２０（図３参照）の内側を向く面である。第１の面１０２Ａは、電極１０４を露出させる開口部１０３と、電極１０４への外部からの接触を防ぐ防護部１０５とを有している。図１に（ａ）に示す例では、第１の面１０２Ａは、矩形状の開口部１０３を有しており、当該開口部１０３内には、電極１０４への接触を防止するための防護部１０５が設けられている。図１に（ａ）に示す例では、防護部１０５は、２本の縦枠１０５ａと３本の横枠１０５ｂとが、互いに直交することによって格子状をなしている。開口部１０３は、防護部１０５によって、複数（４×３列）の開口部１０３に分割されている。図１（ａ）に示す例では、複数の開口部１０３の各々は、いずれも矩形状をなしているが、これに限らない。例えば複数の開口部１０３の各々は、円形状、その他の多角形状等をなすものであってもよい。なお、複数の開口部１０３の各々は、水生生物３０が電極１０４に触れない程度のサイズを有することが好ましく、作業員の指が電極１０４に触れない程度のサイズを有することがより好ましい。
【００１６】
第２の面１０２Ｂは、水槽２０の外周壁部２２の内周面と対向する面である。第２の面１０２Ｂは、全体的に絶縁素材によって覆われている。すなわち、第２の面１０２Ｂは、電極１０４を露出させる開口部を有していない。
【００１７】
電極１０４は、一方の面が第１の面１０２Ａ側を向き、他方の面が第２の面１０２Ｂ側を向くように、ケース１０２内に収容される。電極１０４は、水槽２０内の水生生物３０を誘導するための電力が印加される。電極１０４としては、例えば、銅、銅タングステン、銀タングステン、真鍮、アルミ等の、導電性素材を用いることができる。また、図１および図２に示す例では、電極１０４は、平板状をなしており、且つ、前方から平面視したときに矩形状をなしている。これに限らず、電極１０４は、その他の形状（例えば、棒状、フィルム状等）をなすものであってもよい。また、ケース１０２内には、複数の電極１０４が設けられてもよい。
【００１８】
（水生生物誘導システム１０の構成）
図３は、本発明の第１実施形態に係る水生生物誘導システム１０の構成を示す図である。図３に示すように、水生生物誘導システム１０は、複数の水生生物誘導装置１００、水槽２０、電源１４０、制御装置１５０、フットスイッチ１６０、およびインジケータランプ１７０を備えて構成されている。
【００１９】
水槽２０は、外周壁部２２および底部２４を有して構成されており、上方が開口した容器状をなしている。水槽２０内には、水４０と、水生生物３０とが収容される。水槽２０は、例えば、金属素材（例えば、ステンレス）が用いられる。但し、これに限らず、水槽２０は、その他の導電性素材（例えば、アルミ、銅等）を用いたものであってもよく、その他の絶縁性素材（例えば、ガラス、ＦＲＰ等）を用いたものであってもよい。また、図３に示す例では、水槽２０は、上方から平面視したときに楕円形状をなしているが、これに限らない。例えば、水槽２０は、上方から平面視したときに、矩形状、円形状、その他の多角形状等をなすものであってもよい。
【００２０】
複数の水生生物誘導装置１００は、水槽２０の外周壁部２２の内周面に沿って、当該内周面に近接して設置される。図３に示す例では、複数（１４個）の水生生物誘導装置１００が、水槽２０内の所定の一部の領域２０Ａを取り囲むように、水槽２０の外周壁部２２の内周面の一部の範囲に亘って、設置されている。これに限らず、複数の水生生物誘導装置１００は、水槽２０内の全領域を取り囲むように、水槽２０の外周壁部２２の内周面の全周に亘って、設置されてもよい。
【００２１】
電源１４０は、制御装置１５０に対して電力（直流電力）を供給する。本実施形態では、電源１４０として、交流電源（例えば、商用電源等）を用いている。これに限らず、電源１４０として、直流電源（例えば、バッテリ等）を用いてもよい。
【００２２】
制御装置１５０は、「制御手段」の一例である。制御装置１５０は、配線１５２を介して、複数の水生生物誘導装置１００の各々の電極１０４に電気的に接続されている。制御装置１５０は、電源１４０から供給された電力を用いて、複数の水生生物誘導装置１００の各々の電極１０４に対して、電力を印加することができる。例えば、制御装置１５０は、電源１４０から供給された第１の電圧（例えば、１００Ｖ）の交流電力を、当該制御装置１５０が備えるＡＣ−ＡＣコンバータにより、出力用の第２の電圧（例えば、３０Ｖ）の交流電力へ変換する。そして、制御装置１５０は、第２の電圧の交流電力を、複数の水生生物誘導装置１００の各々の電極１０４に印加する。
【００２３】
制御装置１５０は、複数の水生生物誘導装置１００を、互いに対向する２つの水生生物誘導装置１００を一つの組み合わせとして、複数の組み合わせに分類する。そして、制御装置１５０は、各組み合わせに対し、一方の水生生物誘導装置１００と、他方の水生生物誘導装置１００とで、互いに電圧の極性が異なる交流電力を印加する。例えば、制御装置１５０は、一方の水生生物誘導装置１００に対し、＋極性の電圧の交流電力を印加するとき、他方の水生生物誘導装置１００に対し、−極性の電圧の交流電力を印加する。反対に、制御装置１５０は、一方の水生生物誘導装置１００に対し、−極性の電圧の交流電力を印加するとき、他方の水生生物誘導装置１００に対し、＋極性の電圧の交流電力を印加する。これにより、制御装置１５０は、水中内で、一方の水生生物誘導装置１００と他方の水生生物誘導装置１００との間に、電気を伝搬させることにより、一方の水生生物誘導装置１００と他方の水生生物誘導装置１００との間の領域内に、電界を形成することができる。
【００２４】
ここで、制御装置１５０は、特定の水生生物３０を防除するのに好適な電力設定値（例えば、電圧、電流、周波数、デューティ比等）に基づく電力を、複数の水生生物誘導装置１００の各々の電極１０４に対して印加することができる。
【００２５】
例えば、制御装置１５０は、誘導対象とする水生生物３０のサイズが比較的小さい場合には、比較的小さい電圧値を設定することができる。また、例えば、制御装置１５０は、誘導対象とする水生生物３０のサイズが比較的大きい場合には、比較的大きい電圧値を設定することができる。また、例えば、制御装置１５０は、誘導対象とする水生生物３０にとって感受性の高い周波数およびデューティ比を、設定することができる。
【００２６】
特に、制御装置１５０は、水生生物３０に電気的刺激を与えることを可能としつつ、生物が死滅および損傷するに至らない電圧値（例えば、３０Ｖ以下）を設定するようにしている。これにより、本実施形態の水生生物誘導装置１００は、水槽２０内において、水生生物を死滅および損傷させることなく、電気的刺激によって所定の方向へ誘導することができる。よって、本実施形態の水生生物誘導装置１００は、水生生物を、生きたまま誘導することが可能である。
【００２７】
なお、制御装置１５０は、複数の水生生物誘導装置１００の各々の電極１０４に印加する電力の電力設定（例えば、電圧、電流、周波数、デューティ比等）を、変更可能であってもよい。この場合、制御装置１５０は、各電極１０４に印加する電力の電力設定を、誘導対象とする水生生物３０に応じて変更することにより、より多様な種類の水生生物３０を誘導対象とすることが可能となる。また、この場合、制御装置１５０は、水槽２０のサイズや、水生生物誘導装置１００の配置間隔等、電界強度の各種変動要因に応じて、電界強度が好適なものとなるように、各電極１０４に印加する電力の電力設定を変更することもできる。
【００２８】
また、制御装置１５０は、複数の水生生物誘導装置１００のうち、電極１０４に電力を印加する水生生物誘導装置１００を、選択的に切り換えることが可能であってもよい。この場合、制御装置１５０は、電極１０４に電力を印加する水生生物誘導装置１００を選択的に切り換えることにより、水槽２０内における電界を形成する領域を変更することができる。
【００２９】
例えば、制御装置１５０の設定変更は、制御装置１５０の本体に設けられた変更手段（例えば、ディップスイッチ等）によって行うようにしてもよい。また、例えば、制御装置１５０の設定変更は、制御装置１５０と接続可能な外部機器（例えば、パーソナルコンピュータ、スマートフォン、タブレット端末等）から行うようにしてもよい。
【００３０】
なお、各電極１０４に印加される交流電力は、矩形波によるものであってもよく、正弦波によるものであってもよい。また、各電極１０４に印加される交流電力の周波数は、所定の周波数（例えば、１ＫＨｚ）を中心周波数として、時系列に変化するものであってもよい。これにより、水生生物誘導装置１００は、電力に対する感受性のピーク周波数が様々である多様な水生生物３０を、各電極１０４が形成する電界によって誘導することができる。なお、この場合、各電極１０４に印加される交流電力の周波数は、予め定められた複数の周波数に順に切り換えられてもよく、ランダムに切り換えられてもよい。
【００３１】
フットスイッチ１６０は、制御装置１５０に電気的に接続されている。フットスイッチ１６０は、「手動スイッチ」の一例であり、制御装置１５０によって複数の水生生物誘導装置１００の各々の電極１０４に印加される電力のオンおよびオフを切り替える。例えば、フットスイッチ１６０が押下されていないとき、制御装置１５０は、複数の水生生物誘導装置１００の各々の電極１０４に対して、電力を印加しない。一方、フットスイッチ１６０が押下されたとき、制御装置１５０は、複数の水生生物誘導装置１００の各々の電極１０４に対して、電力を印加する。
【００３２】
インジケータランプ１７０は、水生生物誘導システム１０の稼働状態に応じて点灯する。例えば、インジケータランプ１７０は、緑色のランプ、黄色のランプ、および赤色のランプを有して構成される。この場合、例えば、水生生物誘導システム１０の電源がＯＮになっており、且つ、複数の水生生物誘導装置１００の各々の電極１０４に印加されていない状態のとき、緑色のランプが点灯する。また、例えば、インジケータランプ１７０は、水生生物誘導システム１０の電源がＯＮになっており、且つ、複数の水生生物誘導装置１００の各々の電極１０４に印加されている状態のとき、緑色のランプおよび黄色のランプが点灯する。また、例えば、インジケータランプ１７０は、水生生物誘導システム１０に故障が生じている状態のとき、赤色のランプが点灯する。
【００３３】
（水生生物誘導装置１００の設置例）
図４は、本発明の第１実施形態に係る水生生物誘導装置１００の設置例を示す図である。
【００３４】
図４（ａ）は、図３に示す水槽２０のＢ−Ｂ断面の一部を示す図である。図４（ａ）に示すように、複数の水生生物誘導装置１００は、水槽２０内且つ水４０の水中において、水槽２０の外周壁部２２の内周面に沿って、水平方向に並べて設置される。複数の水生生物誘導装置１００は、少なくとも電極１０４の全体が水４０の水中に水没するように、適切な高さ位置に配置される。
【００３５】
ここで、複数の水生生物誘導装置１００の各々は、電極１０４が露出している、ケース１０２の第１の面１０２Ａが、水槽２０の内側を向くように、設置される。すなわち、複数の水生生物誘導装置１００の各々は、電極１０４が覆われている、ケース１０２の第２の面１０２Ｂが、水槽２０の外周壁部２２の内周面と対向するように、設置される。
【００３６】
これにより、水槽２０に導電性素材（例えば、ステンレス）が用いられている場合であっても、複数の水生生物誘導装置１００の各々において、電極１０４から伝搬される電気が、水槽２０の外周壁部２２に伝わってしまうことを防止することができる。また、複数の水生生物誘導装置１００の各々において、第１の面１０２Ａに設けられている防護部１０５により、電極１０４への外部からの接触（水生生物３０の接触、作業員の接触等）を防ぐことができる。
【００３７】
図４（ｂ）は、図３に示す水槽２０のＣ−Ｃ断面を示す図である。図４（ｂ）に示すように、各水生生物誘導装置１００は、ケース１０２の第２の面１０２Ｂにおいて、任意の取付手段１０６（例えば、磁石、吸盤、接着剤、両面テープ等）により、外周壁部２２の内周面に取り付けられる。
【００３８】
（水生生物誘導装置１００の設置例）
図５は、本発明の第１実施形態に係る水生生物誘導装置１００による誘導方法の一例を示す図である。
【００３９】
図５（ａ）は、複数の水生生物誘導装置１００の各々の電極１０４に対して、電力が印加されていない状態を表している。例えば、水槽２０内の所定の一部の領域２０Ａに滞留している水生生物３０の数が比較的少ない場合には、作業者は、フットスイッチ１６０を押下しない。このため、制御装置１５０は、複数の水生生物誘導装置１００の各々の電極１０４に対して、電力を印加しない。よって、図５（ａ）に示すように、領域２０Ａに電界が形成されず、水生生物３０は、領域２０Ａに滞留することができる。
【００４０】
一方、図５（ｂ）は、複数の水生生物誘導装置１００の各々の電極１０４に対して、電力が印加されている状態を表している。例えば、水槽２０内の所定の一部の領域２０Ａに滞留している水生生物３０の数が比較的多い場合には、作業者は、フットスイッチ１６０を押下する。これにより、制御装置１５０は、複数の水生生物誘導装置１００の各々の電極１０４に対して、電力を印加する。このとき、制御装置１５０は、水生生物誘導装置１００の各組み合わせ（互いに対向する２つの水生生物誘導装置１００の組み合わせ）に対し、一方の水生生物誘導装置１００と、他方の水生生物誘導装置１００とで、互いに電圧の極性が異なる交流電力を印加する。その結果、図５（ｂ）に示すように、領域２０Ａに複数の電界ｅ（水生生物誘導装置１００の組み合わせ毎の電界ｅ）が形成され、領域２０Ａに滞留していた水生生物３０は、電界ｅによる電気的刺激を受けて、領域２０Ａの外部へ退避する（すなわち、誘導される）こととなる。
【００４１】
（水生生物誘導装置１００の変形例）
図６は、本発明の第１実施形態に係る水生生物誘導装置１００の変形例を示す図である。図６（ａ）は、水生生物誘導装置１００'の前側（第１の面１１２Ａ側）の外観斜視図である。図６（ｂ）は、水生生物誘導装置１００'の後ろ側（第２の面１１２Ｂ側）の外観斜視図である。図７は、図６（ａ）に示す水生生物誘導装置１００'のＤ−Ｄ断面図である。
【００４２】
図６および図７に示す水生生物誘導装置１００'は、ケース１０２の代わりにケース１１２を備える点で、図１および図２に示す水生生物誘導装置１００と異なる。
【００４３】
ケース１１２は、水生生物誘導装置１００'の外形をなす、容器状の部材である。ケース１１２は、電極１０４が収容される。ケース１１２としては、例えば、樹脂等の絶縁素材を用いることができる。本実施形態では、ケース１１２は、縦長の円柱形状をなしている。すなわち、ケース１１２は、前方から平面視したときに矩形状をなしており、且つ、上方から平面視したときに円形状をなしている。また、図７に示すように、ケース１１２は、中空構造を有しているが、これに限らず、中空構造を有さないものであってもよい。
【００４４】
図６（ａ）に示すように、ケース１１２は、その前側に第１の面１１２Ａを有している。また、図６（ｂ）に示すように、ケース１１２は、その後ろ側に第２の面１１２Ｂを有している。ここでは、図７に示すように、上方から平面したときに、ケース１１２を前後に分割する線を中心線ＣＬとし、中心線ＣＬよりも前側の面を第１の面１１２Ａとし、中心線ＣＬよりも後ろ側の面を第２の面１１２Ｂとする。
【００４５】
第１の面１１２Ａは、水槽２０（図３参照）の内側を向く面である。第１の面１１２Ａは、電極１０４を露出させる開口部１１３と、電極１０４への外部からの接触を防ぐ防護部１１５とを有している。図６に（ａ）に示す例では、第１の面１１２Ａは、概ね矩形状の開口部１１３を有しており、当該開口部１１３内には、防護部１１５として、互いに直交する、２本の縦枠１１５ａと、３本の横枠１１５ｂとを有している。開口部１１３は、防護部１１５によって、複数（４×３列）の開口部１１３に分割されている。複数の開口部１１３の各々は、いずれも矩形状をなしているが、これに限らない。例えば複数の開口部１１３の各々は、円形状、その他の多角形状等をなすものであってもよい。第２の面１１２Ｂは、水槽２０の外周壁部２２の内周面と対向する面である。第２の面１１２Ｂは、全体的に絶縁素材によって覆われている。すなわち、第２の面１１２Ｂは、電極１０４を露出させる開口部を有していない。
【００４６】
電極１０４は、一方の面が第１の面１１２Ａ側に向き、他方の面が第２の面１１２Ｂ側を向くように、ケース１１２内に収容される。電極１０４は、水槽２０内の水生生物３０を誘導するための電力が印加される。電極１０４としては、例えば、銅、銅タングステン、銀タングステン、真鍮、アルミ等の、導電性素材を用いることができる。また、図６および図７に示す例では、電極１０４は、平板状をなしており、且つ、前方から平面視したときに矩形状をなしている。これに限らず、電極１０４は、その他の形状（例えば、棒状、フィルム状等）をなすものであってもよい。また、電極１０４は、ケース１１２の内周面（第１の面１１２Ａの裏側の部分）に沿って湾曲した形状をなすものであってもよい。また、ケース１１２内には、複数の電極１０４が設けられてもよい。
【００４７】
〔第２実施形態〕
次に、図８〜図１０を参照して、本発明の第２実施形態について説明する。この第２実施形態では、水生生物誘導装置１００が複数連結された構成の一例について説明する。
【００４８】
（水生生物誘導ユニット１２の構成）
図８は、本発明の第２実施形態に係る水生生物誘導ユニット１２の構成を示す図である。図８に示す水生生物誘導ユニット１２は、第１実施形態で説明した水生生物誘導装置１００が複数連結されているものである。具体的には、水生生物誘導ユニット１２は、複数の水生生物誘導装置１００が水平方向に並べて配置されており、且つ、互いに隣接する２つの水生生物誘導装置１００が、その間に設けられた連結部１０８によって互いに連結されている。そして、水生生物誘導ユニット１２は、各連結部１０８において、折曲可能である。
【００４９】
水生生物誘導ユニット１２を構成する複数の水生生物誘導装置１００の各々は、第１実施形態と同様に、ケース１０２の内部に電極１０４を有しており、当該電極１０４は、制御装置１５０に電気的に接続される。
【００５０】
図８に示す例では、連結部１０８は、当該連結部１０８によって連結される２つのケース１０２と同一の素材により、これら２つのケース１０２と一体的に形成されている。さらに、連結部１０８は、２つのケース１０２の間の中間部分において、肉厚が薄くなっており、これにより、当該中間部分において、折曲可能となっている。
【００５１】
なお、連結部１０８の構成は、図８に示すものに限らず、少なくとも２つの水生生物誘導装置１００を連結および折曲可能とする構成であれば、如何なる構成であってもよい。例えば、連結部１０８として軸部を設け、当該軸部によって、２つの水生生物誘導装置１００を連結および折曲可能としてもよい。
【００５２】
（水生生物誘導システム１０'の構成）
図９は、本発明の第２実施形態に係る水生生物誘導システム１０'の構成を示す図である。図９に示す水生生物誘導システム１０'は、複数の水生生物誘導装置１００の代わりに、図８で説明した水生生物誘導ユニット１２を備える点で、第１実施形態の水生生物誘導システム１０（図３参照）と異なる。
【００５３】
図９に示すように、水生生物誘導ユニット１２は、水槽２０の外周壁部２２の内周面に沿って、当該内周面に近接して設置される。図９に示す例では、水生生物誘導ユニット１２は、複数（１８個）の水生生物誘導装置１００が連結部１０８によって連結されて構成されており、水槽２０内の所定の一部の領域２０Ａを取り囲むように、水槽２０の外周壁部２２の内周面の一部の範囲に亘って、設置されている。これに限らず、水生生物誘導ユニット１２は、水槽２０内の全領域を取り囲むように、水槽２０の外周壁部２２の内周面の全周に亘って、設置されてもよい。なお、水生生物誘導ユニット１２は、各連結部１０８が折曲可能である。このため、水生生物誘導ユニット１２は、図９に示すように、湾曲した外周壁部２２の内周面に沿って、設置が可能である。
【００５４】
制御装置１５０は、配線１５２を介して、水生生物誘導ユニット１２を構成する複数の水生生物誘導装置１００の各々の電極１０４に電気的に接続されている。制御装置１５０は、電源１４０から供給された電力を用いて、水生生物誘導ユニット１２を構成する複数の水生生物誘導装置１００の各々の電極１０４に対して、電力を印加することができる。
【００５５】
（水生生物誘導ユニット１２の設置例）
図１０は、本発明の第２実施形態に係る水生生物誘導ユニット１２による誘導方法の一例を示す図である。図１０（ａ）は、水生生物誘導ユニット１２を構成する複数の水生生物誘導装置１００の各々の電極１０４に対して、電力が印加されていない状態を表している。図１０（ｂ）は、水生生物誘導ユニット１２を構成する複数の水生生物誘導装置１００の各々の電極１０４に対して、電力が印加されている状態を表している。
【００５６】
この第２実施形態においても、例えば、水槽２０内の所定の一部の領域２０Ａに滞留している水生生物３０の数が比較的少ない場合には、作業者は、フットスイッチ１６０を押下しない。このため、制御装置１５０は、水生生物誘導ユニット１２を構成する複数の水生生物誘導装置１００の各々の電極１０４に対して、電力を印加しない。よって、図１０（ａ）に示すように、領域２０Ａに電界が形成されず、水生生物３０は、領域２０Ａに滞留することができる。
【００５７】
一方、水槽２０内の所定の一部の領域２０Ａに滞留している水生生物３０の数が比較的多い場合には、作業者は、フットスイッチ１６０を押下する。これにより、制御装置１５０は、水生生物誘導ユニット１２を構成する複数の水生生物誘導装置１００の各々の電極１０４に対して、電力を印加する。このとき、制御装置１５０は、水生生物誘導装置１００の各組み合わせ（互いに対向する２つの水生生物誘導装置１００の組み合わせ）に対し、一方の水生生物誘導装置１００と、他方の水生生物誘導装置１００とで、互いに異なる極性の交流電力を印加する。その結果、図１０（ｂ）に示すように、領域２０Ａに複数の電界ｅ（水生生物誘導装置１００の組み合わせ毎の電界ｅ）が形成され、領域２０Ａに滞留していた水生生物３０は、電界ｅによる電気的刺激を受けて、領域２０Ａの外部へ退避する（すなわち、誘導される）こととなる。
【００５８】
以上説明したように、第１，第２実施形態の水生生物誘導システム１０，１０'は、水槽２０内の一部の領域２０Ａの周囲に配置された、複数の水生生物誘導装置１００の各々の電極１０４に対して電力を印加することにより、水槽２０内の一部の領域２０Ａに、水生生物３０を当該領域２０Ａの外部へ誘導するための電界を形成することができる。したがって、第１，第２実施形態の水生生物誘導システム１０，１０'によれば、水槽２０内の水生生物３０を所定の方向へ誘導することができる。
【００５９】
特に、第１，第２実施形態の水生生物誘導装置１００は、水槽２０の内側を向く第１の面１０２Ａに、電極１０４を露出させる開口部１０３と、電極１０４への外部からの接触を防ぐ防護部１０５とを有している。これにより、第１，第２実施形態の水生生物誘導装置１００は、電極１０４から伝搬される電気が、水中内に伝わり易くすることができるとともに、電極１０４への外部からの接触（水生生物３０の接触、作業員の接触等）を防ぐことができる。
【００６０】
また、第１，第２実施形態の水生生物誘導装置１００は、水槽２０の外周壁部２２の内周面と対向する第２の面１０２Ｂが、絶縁素材によって覆われている。これにより、第１，第２実施形態の水生生物誘導装置１００は、水槽２０に導電性素材（例えば、ステンレス）が用いられている場合であっても、電極１０４から伝搬される電気が、水槽２０の外周壁部２２に伝わってしまうことを防止することができる。
【００６１】
また、第１，第２実施形態の水生生物誘導システム１０，１０'は、複数の水生生物誘導装置１００の各々の電極１０４に対して、水生生物３０の種類に応じた電力設定値に基づく電力を印加することができる。これにより、第１，第２実施形態の水生生物誘導システム１０，１０'は、水槽２０内において、特定の種類の水生生物３０を所定の方向へ誘導することができる。
【００６２】
特に、第１，第２実施形態の水生生物誘導システム１０，１０'は、水生生物３０の種類に応じた電力設定値に、水生生物３０に電気的刺激を与えることを可能としつつ、水生生物３０が死滅および損傷するに至らない電圧値（例えば、３０Ｖ以下）を含めるようにしている。これにより、第１，第２実施形態の水生生物誘導システム１０，１０'は、水槽２０内において、特定の種類の水生生物３０を死滅および損傷させることなく、電気的刺激によって所定の方向へ誘導することができる。
【００６３】
また、第１，第２実施形態の水生生物誘導システム１０，１０'は、フットスイッチ１６０により、複数の水生生物誘導装置１００の各々の電極１０４に印加される電力のオンおよびオフを切り替えることができる。これにより、例えば、作業員は、必要なときだけ、フットスイッチ１６０を押下することにより、水槽２０内の一部の領域２０Ａに滞留している水生生物３０を、当該領域２０Ａの外部へ誘導することができる。
【００６４】
なお、第１，第２実施形態の水生生物誘導システム１０，１０'は、例えば、魚の養殖システムにおいて、魚をその重量によって自動的に選別する選別装置と組み合わせて利用することが可能である。例えば、選別装置によって選別された魚が、水槽２０内の所定の一部の領域２０Ａに排出されるようにする。また、水槽２０内における領域２０Ａの外部の他の領域を、魚を捕獲するための捕獲エリアに設定する。そして、例えば、領域２０Ａ内に滞留している魚の数が比較的多くなったとき、作業者が、フットスイッチ１６０を押下する。これにより、領域２０Ａに複数の電界ｅが形成され、領域２０Ａに滞留していた複数の魚は、電界ｅによる電気的刺激を受けて、領域２０Ａから捕獲エリアへ退避する（すなわち、誘導される）。これにより、作業者は、捕獲エリアにおいて、当該捕獲エリアに誘導されてきた複数の魚を、容易に捕獲することができる。
【００６５】
以上、本発明の好ましい実施形態について詳述したが、本発明はこれらの実施形態に限定されるものではなく、特許請求の範囲に記載された本発明の要旨の範囲内において、種々の変形又は変更が可能である。
【００６６】
例えば、ケース１０２および電極１０４の構成（例えば、形状、サイズ、数、配列、材質等）は、第１，第２実施形態で説明した実施形態で説明および図示したものに限らない。
【００６７】
また、第１，第２実施形態では、ケース１０２内に１つの電極１０４を収容するようにしているが、これに限らず、ケース１０２内に複数の電極１０４を収容するようにしてもよい。
【００６８】
また、第１，第２実施形態の水生生物誘導装置１００において、ケース１０２に対して、電極１０４が着脱自在に収容される構成としてもよい。これにより、例えば、電極１０４の交換を容易に行うことが可能となる。
【００６９】
また、第１，第２実施形態の水生生物誘導装置１００において、ケース１０２自体が、湾曲または折曲可能であってもよい。これにより、例えば、設置面が湾曲または折曲している場合であっても、ケース１０２を、設置面の形状に沿って変形させることが可能となる。
【００７０】
また、第１，第２実施形態の水生生物誘導システム１０，１０'において、水槽２０内の複数の領域の各々に対して、複数の水生生物誘導装置１００を設置することにより、当該複数の領域の各々に対して、電界を形成することができるように構成してもよい。この場合、領域毎にフットスイッチ１６０を設けて、領域毎に個別に電界を形成できるようにしてもよく、複数の領域で共通のフットスイッチ１６０を設けて、複数の領域に同時に電界を形成できるようにしてもよい。
【００７１】
また、第１，第２実施形態の水生生物誘導システム１０，１０'において、複数の水生生物誘導装置１００（複数のケース１０２）を、水槽２０の外周壁部２２に一体的に形成するようにしてもよい。すなわち、水槽２０の外周壁部２２内に、複数の電極を水平方向に並べて収容し、各電極が、外周壁部２２の内周面に形成された開口部から露出するように構成してもよい。
【符号の説明】
【００７２】
１０  水生生物誘導システム
１２  水生生物誘導ユニット
２０  水槽
２０Ａ  一部の領域
２２  外周壁部
２４  底部
３０  水生生物
４０  水
１００  生物誘導装置
１０２  ケース
１０２Ａ  第１の面
１０２Ｂ  第２の面
１０３  開口部
１０５ａ  縦枠（防護部）
１０５ｂ  横枠（防護部）
１０４  電極
１０６  取付手段
１０８  連結部
１４０  電源
１５０  制御装置（制御手段）
１５２  配線
１６０  フットスイッチ
１７０  インジケータランプ
【図１】
2019041742.tif 000003
【図２】
2019041742.tif 000004
【図３】
2019041742.tif 000005
【図４】
2019041742.tif 000006
【図５】
2019041742.tif 000007
【図６】
2019041742.tif 000008
【図７】
2019041742.tif 000009
【図８】
2019041742.tif 000010
【図９】
2019041742.tif 000011
【図１０】
2019041742.tif 000012